(57)【要約】【課題】ゴルフ練習用マットに関し、ダフリ防止等の練習に好適なゴルフ練習用マットであり、またターフ取り練習にも使用できるゴルフ練習用マットを提供すること。  更に、ダフリがより明確に認識できる練習が行えるゴルフ練習用マットを提供すること。【解決手段】本発明は、球置部と該球置部の周囲を覆うベース体部１とを備え、球置部が人工芝よりなる模芝部３とクラブを跳ね返す硬板部２とより、その硬板部２には、直線状のリブ２１が多数形成されており、更に、硬板部２の領域に対応するベース体部１には、音量増大部が備わっているゴルフ練習用マットＡ。【選択図】図１
2016097141.tif 000002
【特許請求の範囲】
【請求項１】
球置部と該球置部の周囲を覆うベース体部とを備え、球置部が人工芝よりなる模芝部とクラブを跳ね返す硬板部とよりなることを特徴とするゴルフ練習用マット。
【請求項２】
硬板部には、直線状のリブが多数形成されていることを特徴とする請求項１記載のゴルフ練習用マット。
【請求項３】
硬板部の領域に対応するベース体部には、音量増大部が備わっていることを特徴とする請求項１記載のゴルフ練習用マット。
【請求項４】
模芝部の硬板部との境界部において、ベース体部に段差が形成されており、模芝部の設置面より硬板部の設置面が高く設定されており、硬板部が下方へ傾斜して先端がフリーになっていることを特徴とする請求項１記載のゴルフ練習用マット。
【請求項５】
模芝部の硬板部との境界部において、ベース体部に傾斜面が形成されており、模芝部の設置面より硬板部の設置面が高く設定されており、硬板部が傾斜面に沿って設けられていることを特徴とする請求項１記載のゴルフ練習用マット。
【請求項６】
模芝部から遠ざかるに従って、リブの間隔を漸増させたものであることを特徴とする請求項２記載のゴルフ練習用マット。
【請求項７】
音増大機能部は、凸部を形成する畝に囲まれて凹部が形成され、その底面には貫通孔が形成されていることを特徴とする請求項３記載のゴルフ練習用マット。
【発明の詳細な説明】
【技術分野】
【０００１】
本発明は、ゴルフ練習用マットに関し、更に詳しくは、極力、ダフリ防止等の練習に好適なゴルフ練習用マットに関する。
またターフ取り練習にも使用できるゴルフ練習用マットに関する。
【背景技術】
【０００２】
自然のコースでのグランドの状態、すなわちライ状態は非常に変化に富んだものである。
上達のためには、ゴルフ愛好者にとって日頃から、それらの状況に応じた練習を行うことが必要である。
ゴルフのショットの練習を行う場合、通常、ゴルフ練習場や自宅で行う場合が多いが、その際、練習用マットを使い球（ゴルフボール）をその上に載せてショットの練習を行う。
【０００３】
このような実際のゴルフ場以外の場所での練習は、極力自然のゴルフ場を模擬したラフ状態で行うことがより効果的である。
そのために使用する練習用マットとしては種々のものが提供されており、例えば、特許文献１、特許文献２、特許文献３等にあるような人工芝を備えた練習用マットが提供されている。
特許文献１には、基板面に、ゴルフボールの径より長い人工芝を植毛した複数枚の芝シートを平面状に並べて額縁状枠体の内側に、着脱自在に嵌合したラフ練習用マットが示されている （特許文献１参照）。
【０００４】
また特許文献２には、フォロースルー側の部分のマットの毛足がテイクバック側の毛足よりも長くし、クラブヘッドが通った方向に倒れ且つ戻るようにしたゴルフ練習用段付きマットが示されている （特許文献２参照）。
【０００５】
更に、また特許文献３には、芝の長さが不揃いな人工芝と均一な人工芝の両方を備えたゴルフ練習用マットが示されている （特許文献３参照）。
ところで、一般に、自然のゴルフコースでは、ライの状態は芝生が生えて柔らかなので、ダフリが出ると球Ｂが飛ばない。
球の手前でクラブのエッジが地面に食い込みそのまま地面を削るようなショットになり球を打つエネルギーが消耗されるのである。
また、自然のゴルフコースではライに傾斜があり、特に左足下がりのライではダフリが多く発生することを経験する。
【０００６】
このようなことからダフリを克服する練習が行われている。
そのための練習を行う場合、人工芝に植生されたマットの上に球を置いてショットをするが、上述した練習用マットではダフリが生じてもクラブの先端が滑ってくれるため、そのダフリを意識せずに打つことになる。
詳しく言うと、球の手前に（すなわち飛球線の後方に）クラブの先端が当っても、実際の地面のように食い込まずそのまま滑って球Ｂに当たってしまうのである。
【０００７】
そのため、さほど衝撃が手に伝わらないのでダフリをしたことを感じなく、いわゆるダフってもそれを認識しないままショットしていることになる。
これでは、実際、ゴルフコースに出てもダフリを修正できなく、相変わらず球が飛ばない誤ったショットを繰り返すこととなる。
このようなことから、いわゆるダフリ防止の練習ができる練習用マットが開発された。
特許文献４には、人工芝が一方向に傾斜して延びるベース上の区域と、この区域に隣接し、人工芝が垂直、または区域とは逆方向に傾斜して延びる区域とを有するゴルフ練習用マットが開示されている（特許文献４参照）。
【０００８】
また特許文献５には、ゴムマット等よりなる板状基部に第１人工芝部と第２人口芝部とが適宜の幅の分割域で隔てられ、各芝部の分割域側には板状基部に固定されない非固定部を形成したゴルフ練習用マットが開示されている（特許文献５参照）。
しかし、これらの練習用マットは、ボールの手前を打つ正しくないスウィング、すなわち、ダフリを防止する練習は一応できるが、その手ごたえが弱く、必ずしも、明確にダフリのショットを行ったことの認識が得られにくい。
【先行技術文献】
【特許文献】
【０００９】
【特許文献１】実開昭６２−５０６８０号公報
【特許文献２】実開昭６３−２０１５６３号公報
【特許文献３】実開平３−１６９７３号公報
【特許文献４】特開平１０−１５５９６４号公報
【特許文献５】特開２００４−６５７４８号公報
【発明の概要】
【発明が解決しようとする課題】
【００１０】
本発明は、上述のような従来の問題点を克服するためになされたもので、ダフリがより明確に認識できる練習が行えるゴルフ練習用マットを提供することである。
【課題を解決するための手段】
【００１１】
かくして、本発明者等は、このような課題背景に対して、鋭意研究を重ねた結果、ゴルフ練習用マットにおける球置部に人工芝よりなる模芝部と、敢えてクラブを跳ね返す硬板部を備えることにより、ダフった場合に特有の衝撃感を得られることを見出し、この知見に基づいて本発明は完成させたものである。
【００１２】
即ち、本発明は、（１）、球置部と該球置部の周囲を覆うベース体部１とを備え、球置部が人工芝よりなる模芝部３とクラブを跳ね返す硬板部２とよりなるゴルフ練習用マットに存する。
【００１３】
即ち、本発明は、（２）、硬板部２には、直線状のリブ２１が多数形成されている上記（１）記載のゴルフ練習用マットに存する。
【００１４】
即ち、本発明は、（３）、硬板部２の領域に対応するベース体部１には、音量増大部が備わっている上記（１）記載のゴルフ練習用マットに存する。
【００１５】
即ち、本発明は、（４）、模芝部３の硬板部２との境界部において、ベース体部１に段差が形成されており、模芝部３の設置面より硬板部２の設置面が高く設定されており、硬板部２が下方へ傾斜して先端がフリーになっている上記（１）記載のゴルフ練習用マットに存する。
【００１６】
即ち、本発明は、（５）、模芝部３の硬板部２との境界部において、ベース体部１に傾斜面が形成されており、模芝部３の設置面より硬板部２の設置面が高く設定されており、硬板部２が傾斜面に沿って設けられている上記（１）記載のゴルフ練習用マットに存する。
【００１７】
即ち、本発明は、（６）、模芝部３から遠ざかるに従って、リブ２１の間隔を漸増させたもので上記（２）記載のゴルフ練習用マットに存する。
【００１８】
即ち、本発明は、（７）、音増大機能部は、凸部２２を形成する畝に囲まれて凹部２３が形成され、その底面には貫通孔２４が形成されている上記（３）載のゴルフ練習用マットに存する。
【００１９】
本発明はこの目的に沿ったものであれば、上記（１）〜（７）の中から選ばれた２つ以上を組み合わせたゴルフ練習用マットの構成も当然採用可能である。
【発明の効果】
【００２０】
本発明のゴルフ練習用マットは、球置部と該球置部の周囲を覆うベース体部とを備え、球置部が人工芝よりなる模芝部とクラブを跳ね返す硬板部とよりなるので、ゴルフ練習用マットを逆向きにし、球を模芝部の球置部との境界線近くに置いてショットすると、ダフった場合は、クラブの先端が硬板部を打撃することとなる。
そのため、その衝撃が手に伝わりダフリが生じたことを即座に認識できる。
このようにダフリ防止の練習ができる。
【００２１】
一方、ゴルフ練習用マットを逆向きにし、ゴルフ球Ｂを球置部の模芝部との境界線近くに置いてショットすると、クラブが直接、球に当った後、その前方で硬板部に当たる場合は、硬板部を打撃することとなる。
そのためその衝撃が手に伝わり、ターフを取る打ち方ができたことを即座に認識できる。
【００２２】
硬板部には、直線状のリブが多数形成されていることにより、より大きい打撃音を発することができる。
【００２３】
硬板部の領域に対応するベース体部には、音量増大部が備わっていることにより、ショット練習の際、打撃音が大きく響き聞こえ易くなり、聴力の弱い者でも容易に聞き分けることができる。
【００２４】
模芝部の硬板部との境界部において、ベース体部に段差が形成され、模芝部の設置面より硬板部の設置面が高く設定されており、硬板部が下方へ傾斜して先端がフリーになっていることにより、ゴルフクラブの先端が境界部に当っても硬板部が設置面から剥がれるようなことが回避される。
【００２５】
模芝部の硬板部との境界部において、ベース体部に傾斜面が形成され、模芝部の設置面より硬板部の設置面が高く設定されており、硬板部が傾斜面に沿って設けられていることにより、同様に、ゴルフクラブの先端が境界部に当っても硬板部が設置面から剥がれるようなことが回避される。
【００２６】
模芝部から遠ざかるに従って、リブの間隔を漸増させたものであることにより、ダフリの距離が大きいと、リブの間隔が大きいところを打撃するため発する音が低くなり、ダフリの距離が短いと、リブの間隔が小さいところを打撃するため発する音が高くなる。
このように音を聞いてショットのダフリの大きさを認識することができる。
【００２７】
音増大機能部は、凸部を形成する畝に囲まれて凹部が形成され、その底面には貫通が形成されていることにより、硬板部に衝撃が加わった場合、この空間が響き強い衝撃音を発することができる。
【図面の簡単な説明】
【００２８】
【図１】図１は、本発明のゴルフ練習用マットを示す平面図である。
【図２】図２は、本発明のゴルフ練習用マットを示す裏面図である。
【図３】図３は、図１のＡ−Ａ断面図である。
【図４】図４は、図１のＢ−Ｂ断面図である。
【図５】図５は、模芝部の硬板部との境界部における硬板部の直線状の傾斜状態を示す断面図であり、(Ａ)は傾斜が直線状のもの、(Ｂ)は傾斜が曲面状のものを表す。
【図６】図６は、模芝部の硬板部との境界部におけるベース体部の傾斜面を示す断面図である。
【図７】図７は、硬板部のリブを模芝部から遠ざかるに従って、その間隔を漸増させるように設定したものである。
【図８】図８は、間隔を長間隔Ｌ１と中間隔繰Ｌ２と短間隔Ｌ３の部分に分けた場合を示す。
【図９】図９は、貫通孔が形成されたベース体部を示す拡大断面図である。
【図１０】図１０は、ゴルフ練習用マットを順方向に置いた場合のショットを説明する図である。
【図１１】図１１は、ゴルフ練習用マットを逆方向に置いた場合のショットを説明する図である。
【発明を実施するための形態】
【実施例】
【００２９】
以下、図面に基づき、本発明のゴルフ練習用マットの好適な実施の形態について述べる。
図１は、本発明のゴルフ練習用マットＡを示す平面図であり、図２は、本発明のゴルフ練習用マットＡを示す裏面図である。
また図３は、図１のＡ−Ａ断面図であり、図４は、図１のＢ−Ｂ断面図である。
【００３０】
本発明のゴルフ練習用マットＡは、練習する際、球Ｂを置くための球置部と該球置部の周囲を覆うベース体部１とを備えている。
ベース体部１は球置部の周囲、すなわち底面と周囲面を覆っており、球置部を位置決め保持している。
【００３１】
また、このベース体部１は、天然ゴム、合成ゴム等で形成されており一定の重量を有するため、ゴルフ練習用マットＡとして使う場合、ショットの際でも、その衝撃により共動きし難く安定性がある。
すなわち、このゴルフ練習用マットＡの上に球Ｂを置いて練習をする際、ショット時、ゴルフ練習用マットＡが不用意に移動するのを防止することができる。
【００３２】
一方、球置部は２つに区分されており、その一つは人工芝よりなる領域の模芝部３であり、他の一つはクラブを跳ね返すことができる領域の硬板部２である。
これら模芝部３と硬板部２とがベース体部１に囲まれた状態で隣接して設けられている。
そして模芝部３と硬板部２との境界部において、ベース体部１に段差が形成されており、模芝部３の設置面より硬板部２の設置面が高く設定されている。
【００３３】
また、人口芝の先端面と硬板部２の上面とはほぼ面一になることが好ましい。
図５は、模芝部３の硬板部２との境界部における硬板部２の直線状の傾斜状態を示す断面図であり、(Ａ)は傾斜が直線状のもの、(Ｂ)は傾斜が曲面状のものを表す。
境界部の段差において硬板部２が下方へ直線状或いは曲面状に傾斜しており、その先端がフリーになっている。
そのため、ゴルフクラブの先端が境界部に当っても硬板部２が設置面から剥がれるようなことが回避される。
【００３４】
図６は、模芝部３の硬板部２との境界部におけるベース体部１の傾斜面を示す断面図である。  
模芝部３の硬板部２との境界部において、ベース体部１に傾斜面が形成されている。
そして模芝部３の設置面より硬板部２の設置面が高く設定されており、硬板部２が傾斜面に沿って設けられている。
この場合も、ゴルフクラブの先端が境界部に当っても硬板部２が設置面から剥がれるようなことが回避される。
【００３５】
図５、図６のような構造に境界部がなっているので、後述するような逆方向にゴルフ練習用マットＡを置いて使用する場合にも、硬板部２が剥離しない利点がある。
【００３６】
(模芝部)
模芝部３は人口芝をシート本体に植生したものであり、合成樹脂材で形成されている。
【００３７】
（硬板部）
硬板部２は打撃音を発し、クラブのエッジが硬板部２に当っても食い込まず跳ね返すことができるものである。
ベース体部１より硬い材質、例えば、ポリカーボネイト、ＰＰ等が好ましく採用される。
【００３８】
(音の発生)
硬板部２の上面には音をより発生させるための直線状のリブ２１が多数形成されている。
ここにクラブヘッドＣのエッジが当ると滑ってリブ２１部を払い打つよう作用するので打撃音が発せられる。
この打撃音は、リブ２１の間隔が小さいと高い音になり、間隔が広いと低い音になる。
そのためリブ２１の形成の仕方を積極的に変更することにより硬板部２の打撃音を異なるように設定することができる。
【００３９】
図７は、硬板部２のリブ２１は、模芝部３から遠ざかるに従って、その間隔を漸増させるように設定したものである。
ダフリの距離が大きいと（すなわち球Ｂから長く離れた距離の地点を打つと）、リブ２１の間隔が大きいところを打撃するため発する音が低くなる。
ダフリの距離が短いと（すなわち球Ｂから少し離れた距離の地点を打つと）、リブ２１の間隔が小さいところを打撃するため発する音が高くなる。
この打撃音を聞いてショットのダフリの大きさを認識することができる。
【００４０】
図示はしないが、硬板部２は、模芝部３から遠ざかるに従って、リブ２１の間隔を漸減させるように設定することも可能である。
ダフリの距離が大きいと（すなわち球Ｂから長く離れた距離の地点を打つと）、リブ２１の間隔が小さいところを打撃するため発する音が高くなる。
ダフリの距離が短いと（すなわち球Ｂから少し離れた距離の地点を打つ）、リブ２１の間隔が大きいところを打撃するため発する音が低くなる。
【００４１】
図８は、間隔を長間隔Ｌ１と中間隔繰Ｌ２と短間隔Ｌ３の部分に分けた場合を示す。
ダフリの度合いによって段階的に打撃音が変化するものである。
【００４２】
(音量の増大)
また硬板部２には音を大きくさせるための音量増大部が備わっている。
すなわちベース体部１の裏面には、凹凸部が形成されている。
すなわちベース体部１の裏面は凸部２２を形成する畝に囲まれて凹部２３が形成されている。
【００４３】
この図では、畝に囲まれた凹部２３は菱形であるが、この形に必ずしも限らない。
そしてゴルフ練習用マットＡを地面に置いた場合、この菱形の凹部２３は畝と地面に囲まれて閉じた空間となる。
この凹凸部２２は硬板部２の領域に対応するようにベース体部１に形成されており、硬板部２に衝撃が加わった場合は、この空間が共鳴し強い衝撃音を発することができる。
【００４４】
硬板部２には、このような強い衝撃音を発する音量増大機能が備わることでショット練習の際、音が耳に聞こえ易くなり、聴力の弱い者でも容易に聞き分けることができる。
また、この音量増大部の効果を更に強化するために、貫通孔を設けることが好ましい。
すなわちベース体部１の裏面には、凹凸部が形成されており、そのうち凹部２３には貫通孔２４が形成されている。
【００４５】
図９は、貫通孔２４が形成されたベース体部１を示す拡大断面図である。
凸部２２を形成する畝に囲まれて凹部２３が形成され、その底面には貫通孔２４が存在する状態となっている。
【００４６】
硬板部２に衝撃が加わった場合は、この凹部２３の空間が響いて強い衝撃音を発するが、硬板部２が貫通孔を介して空間に開放されているのでより音が大きく響くこととなる。
硬板部２には、このような強い衝撃音を発する音量増大機能が備わることで、ショット練習の際、音が耳に聞こえ易くなり、聴力の弱い者でも容易に聞き分けることができる。
【００４７】
（ゴルフ練習用マットＡを順方向に置いて練習する場合）
まずゴルフ練習用マットＡを順方向におく。
ゴルフ練習用マットＡの模芝部３が前方で硬板部２が後方に配置される。
【００４８】
図１０は、ゴルフ練習用マットＡを順方向に置いた場合のショットを説明する図である。
今、球Ｂを模芝部３の硬板部２との境界付近に置き、ショットを行う。
【００４９】
球Ｂの後方の一定距離離れた位置（Ｐ１）にクラブ先端が入り、硬板部２に強く打ち込んだ場合、瞬時にクラブは跳ね返され、その衝撃が手に伝わり、強い衝撃を受ける。
そのため球Ｂを直接適正に打っていないこと、いわゆるダフリが出たことが認識され、その後、クラブは硬板部２を滑って球Ｂに当たる。
しかも硬板部２の上面には音をより発生させるための直線状のリブ２１が多数形成されているので、クラブがその上を滑った場合の音も容易に発生し易い。
【００５０】
更にダフリ音量増大機能により、その音が拡大された打撃音となりを耳で容易に聞くことができる。
このように、手の感触と耳から聞こえる音との相乗効果でダフリを容易に感じることができるのである。
しかも音自体も直線状のリブ２１と音増大機能との相乗効果により大きく感じるのである。
【００５１】
この場合、ダフリの大きさの度合いも打撃音の高低を聞き取ることにより認識することができる。
それは、先述した図１のように、模芝部３から遠ざかるに従って、リブ２１の間隔を漸増させるように硬板部２に設定した場合、ダフリの距離が大きいと（すなわち球Ｂから長く離れた距離の地点を打つと）、リブ２１の間隔が大きいところを打撃するため発する音が低くなるからである。
【００５２】
またダフリの距離が短いと（すなわち球Ｂから少し離れた距離の地点を打つと）、リブ２１の間隔が小さいところを打撃するため発する音が高くなるからである。
ところで球Ｂに直接当たり、その後、瞬時に硬くない模芝部３に当った場合は、硬板部２に当った場合と異なって強い衝撃は受けない。
いわゆるダフリがなく適正なショットができたことが認識されることとなる。
【００５３】
（ゴルフ練習用マットＡを逆方向に置いて練習する場合）
まず、ゴルフ練習用マットＡを逆方向におく。
ゴルフ練習用マットＡの硬板部２が前方で模芝部３が後方に配置される。
図１１は、ゴルフ練習用マットＡを逆方向に置いた場合のショットを説明する図である。
今、球Ｂを模芝部３の硬板部２との境界付近に置き、ショットを行う。
クラブは図のように球Ｂに直接当たり、球Ｂの前方の一定距離離れた位置Ｐ２にクラブ先端が入る。
そのためクラブが硬板部２に強く打ち込まれ、瞬時に跳ね返されるため、その衝撃が手に伝わり、強い衝撃を受ける。
【００５４】
このような場合は、実際のゴルフコースでターフを切り取るような上手なショットをしたこととなる。
因みに、上級者ほどボールＢの後側の土を削り取るショット、すなわち「ターフを取る」ショットができる。
このように、ゴルフ練習用マットＡを順方向に使用することでいわゆるダフリ防止の練習ができ、また逆方向に使用することでいわゆるターフ取りの練習をすることができる。
【００５５】
以上、本発明を説明してきたが、本発明は実施形態にのみ限定されるものではなく、その本質を逸脱しない範囲で、他の種々の変形例が可能であることは言うまでもない。
【００５６】
例えば、硬板部２の反りを極力無くすため硬板部２の下面の周囲に肉厚部を設けることが可能である。
そして、その場合は、ベース本体にも硬板部２の周囲の肉厚部が嵌り込む嵌合溝を設ける。
硬板部２はその周囲の肉厚部がベース本体の嵌合溝に嵌り込んで固定も確実となる。
例えば、ゴルフ練習用マットＡのマット４の形は上面視で長方形以外にも長円形，菱形等でもよく、硬板部２と模芝部３を隣接させて設けることができればよい。  
【産業上の利用可能性】
【００５７】
本発明のゴルフ練習マットは、球置部と該球置部の周囲を覆うベース体部とを備え、球置部が人工芝よりなる模芝部とクラブを跳ね返す硬板部とよりなるので、逆向きにし、球を模芝部の球置部との境界線近くに置いてショットすると、ダフった場合は、クラブの先端が硬板部を打撃することとなり、その衝撃が手に伝わりダフリが生じたことを即座に認識できる。このようにダフリ防止の練習ができる。
一方、ゴルフ練習用マットを逆向きにして使うと、クラブが直接、球に当った後、その前方で硬板部に当たる場合は、硬板部を打撃することとなるので、その衝撃が手に伝わり、ターフを取る打ち方ができたことを即座に認識できる。
そのため撃ちっぱなしの練習場や家庭の庭でも使用することが容易に可能である。
【符号の説明】
【００５８】
１…ベース体部
２…硬板部
２１…直線状のリブ
２２…凸部（畝部）
２３…凹部
２４…貫通孔
３…模芝部
３１…芝部
Ａ…ゴルフ練習用マット
Ｂ…ゴルフボール（球）
Ｃ…クラブヘッド（アイアン）
Ｃ１…エッジ
【図１】
2016097141.tif 000003
【図２】
2016097141.tif 000004
【図３】
2016097141.tif 000005
【図４】
2016097141.tif 000006
【図５】
2016097141.tif 000007
【図６】
2016097141.tif 000008
【図７】
2016097141.tif 000009
【図８】
2016097141.tif 000010
【図９】
2016097141.tif 000011
【図１０】
2016097141.tif 000012
【図１１】
2016097141.tif 000013